(57)【要約】【課題】動画にテキストを容易に合成することのできる動画・テキスト編集装置を得る。【解決手段】記憶手段から読み出された音声データを音声認識して、テキストデータを得る音声認識手段と、そのテキストデータを、センテンス単位に分割するセンテンス分割手段と、その分割されたセンテンス毎のテキストデータに基づいてそのセンテンスを示す文字画像データを生成する文字画像データ生成手段と、記憶手段から読み出された動画データに基づいて再生される動画に、文字画像生成手段によって生成された文字画像データの文字画像がスーパーインポーズされるように、動画データ及び文字画像データを合成する合成手段とを有し、合成手段は、各センテンス単位の文字画像がその文字画像に関連する動画の再生期間にスーパーインポーズされるように動画データ及び文字画像データを合成する。【選択図】　　　　　図１
2004120279.tif 000002
【特許請求の範囲】
【請求項１】
動画データ及び該動画データに関連する音声データが記憶された記憶手段と、
該記憶手段から読み出された音声データを音声認識して、テキストデータを得る音声認識手段と、
該音声認識手段から得られたテキストデータを、センテンス単位に分割するセンテンス分割手段と、
前記センテンス分割手段によって分割されたセンテンス毎のテキストデータに基づいて該センテンスを示す文字画像データを生成する文字画像データ生成手段と、
前記記憶手段から読み出された動画データに基づいて再生される動画に、前記文字画像生成手段によって生成された文字画像データの文字画像がスーパーインポーズされるように、前記動画データ及び文字画像データを合成する合成手段とを有し、
前記合成手段は、各センテンス単位の文字画像が該文字画像に関連する動画の再生期間にスーパーインポーズされるように、前記動画データ及び前記文字画像データを合成することを
特徴とする動画・テキスト編集装置。
【請求項２】
動画データ及び該動画データに関連する音声データが記憶された記憶手段から読み出された音声データを音声認識して、テキストデータを得る音声認識工程と、
該音声認識工程によって得られたテキストデータを、センテンス単位に分割するセンテンス分割工程と、
前記センテンス分割工程によって分割されたセンテンス毎のテキストデータに基づいて該センテンスを示す文字画像データを生成する文字画像データ生成工程と、
前記記憶手段から読み出された動画データに基づいて再生される動画に、前記文字画像生成工程によって生成された文字画像データの文字画像がスーパーインポーズされるように、前記動画データ及び文字画像データを合成する合成工程とを有し、
前記合成工程では、各センテンス単位の文字画像が該文字画像に関連する動画の再生期間にスーパーインポーズされるように、前記動画データ及び前記文字画像データを合成することを
特徴とする動画・テキスト編集方法。
【請求項３】
コンピュータによって動画データ及び文字画像データを合成するようにした動画・テキスト編集プログラムであって、前記コンピュータに、
動画データ及び該動画データに関連する音声データが記憶された記憶手段から読み出された音声データを音声認識して、テキストデータを得る音声認識機能と、
該音声認識機能によって得られたテキストデータを、センテンス単位に分割するセンテンス分割機能と、
前記センテンス分割機能によって分割されたセンテンス毎のテキストデータに基づいて該センテンスを示す文字画像データを生成する文字画像データ生成機能と、
前記記憶手段から読み出された動画データに基づいて再生される動画に、前記文字画像生成機能によって生成された文字画像データの文字画像がスーパーインポーズされるように、前記動画データ及び文字画像データを合成する合成機能とを実現させるようにし、
前記合成機能では、各センテンス単位の文字画像が該文字画像に関連する動画の再生期間にスーパーインポーズされるように、前記動画データ及び前記文字画像データを合成することを
特徴とする動画・テキスト編集プログラム。
【発明の詳細な説明】
【０００１】
【発明の属する技術分野】
本発明は動画・テキスト編集装置、編集方法及び編集プログラムに関する。
【０００２】
【従来の技術】
特許文献１には、デジタルスチルビデオカメラが記載され、そのデジタルスチルビデオカメラでは、マイクからの音声を電気信号に変換し、その電気信号を音声認識手段によって認識し、各言葉に対応した文字コードを出力する。その文字コードをコードキャラクタ変換手段によって文字列に変換し、音声入力の認識結果である文字列を、文字合成手段によって、音声入力と同時に撮影された画像又は既に撮影されている画像と合成する。そして、データ表示手段により、画像、音声入力の認識結果又は画像と文字列の合成結果を表示するようにしている。
【０００３】
動画にテキストを編集処理することは、頗る煩雑で、多くの編集操作を必要とする。
【０００４】
【特許文献１】
特開平９−２５２４５３公報
【０００５】
【発明が解決しようとする課題】
本発明は、動画にテキストを容易に合成することのできる動画・テキスト編集装置、編集方法及び編集プログラムを提案しようとするものである。
【０００６】
【課題を解決するための手段】
第１の発明は、動画データ及びその動画データに関連する音声データが記憶された記憶手段と、その記憶手段から読み出された音声データを音声認識して、テキストデータを得る音声認識手段と、その音声認識手段から得られたテキストデータを、センテンス単位に分割するセンテンス分割手段と、センテンス分割手段によって分割されたセンテンス毎のテキストデータに基づいてそのセンテンスを示す文字画像データを生成する文字画像データ生成手段と、記憶手段から読み出された動画データに基づいて再生される動画に、文字画像生成手段によって生成された文字画像データの文字画像がスーパーインポーズされるように、動画データ及び文字画像データを合成する合成手段とを有し、合成手段は、各センテンス単位の文字画像がその文字画像に関連する動画の再生期間にスーパーインポーズされるように、動画データ及び文字画像データを合成する動画・テキスト編集装置である。
【０００７】
第１の発明によれば、記憶手段に動画データ及びその動画データに関連する音声データが記憶され、テキストデータを得る音声認識手段によって、その記憶手段から読み出された音声データを音声認識し、センテンス分割手段によって、その音声認識手段から得られたテキストデータを、センテンス単位に分割し、文字画像データ生成手段によって、センテンス分割手段によって分割されたセンテンス毎のテキストデータに基づいて、そのセンテンスを示す文字画像データを生成し、合成手段によって、記憶手段から読み出された動画データに基づいて再生される動画に、文字画像生成手段によって生成された文字画像データの文字画像がスーパーインポーズされるように、動画データ及び文字画像データを合成し、各センテンス単位の文字画像がその文字画像に関連する動画の再生期間にスーパーインポーズされるように、動画データ及び文字画像データを合成する。
【０００８】
第２の発明は、動画データ及びその動画データに関連する音声データが記憶された記憶手段から読み出された音声データを音声認識して、テキストデータを得る音声認識工程と、その音声認識工程によって得られたテキストデータを、センテンス単位に分割するセンテンス分割工程と、センテンス分割工程によって分割されたセンテンス毎のテキストデータに基づいてそのセンテンスを示す文字画像データを生成する文字画像データ生成工程と、記憶手段から読み出された動画データに基づいて再生される動画に、文字画像生成工程によって生成された文字画像データの文字画像がスーパーインポーズされるように、動画データ及び文字画像データを合成する合成工程とを有し、合成工程では、各センテンス単位の文字画像がその文字画像に関連する動画の再生期間にスーパーインポーズされるように、動画データ及び文字画像データを合成するようにした動画・テキスト編集方法である。
【０００９】
第３の発明は、コンピュータによって動画データ及び文字画像データを合成するようにした動画・テキスト編集プログラムであって、コンピュータに、動画データ及びその動画データに関連する音声データが記憶された記憶手段から読み出された音声データを音声認識して、テキストデータを得る音声認識機能と、その音声認識機能によって得られたテキストデータを、センテンス単位に分割するセンテンス分割機能と、センテンス分割機能によって分割されたセンテンス毎のテキストデータに基づいてそのセンテンスを示す文字画像データを生成する文字画像データ生成機能と、記憶手段から読み出された動画データに基づいて再生される動画に、文字画像生成機能によって生成された文字画像データの文字画像がスーパーインポーズされるように、動画データ及び文字画像データを合成する合成機能とを実現させるようにし、合成機能では、各センテンス単位の文字画像がその文字画像に関連する動画の再生期間にスーパーインポーズされるように、動画データ及び文字画像データを合成するようにした動画・テキスト編集プログラムである。
【００１０】
【発明の実施の形態】
以下に、図２を参照して、本発明の実施の形態の動画・テキスト編集装置を適用した撮像装置の一例を詳細に説明する。この撮像装置は、単写や連写の静止画データ及び動画データをメモリカード４４に記憶するようにしたデジタルカメラであり、カメラ全体の動作は、中央処理装置（ＣＰＵ）２４によって統括制御されている。
【００１１】
デジタルカメラの操作部２６は、電源スイッチ、シャッターボタン、撮影モードと再生モードとを切り換えるためのモード切り換えスイッチ、ズームやコマ送り等の各種の指令信号を出力するマルチファンクションの十字キー等を含む。この操作部２６からの各種の操作信号は、ＣＰＵ２４に加えられるようになっている。尚、このデジタルカメラは、シャッターボタンをＯＮするごとに静止画を撮影する通常の撮影モード（静止画撮影モード）の他に、シャッターボタンがＯＮされている間、所定のインターバルで連続的に撮影を行う連写モード及び動画撮影モードがあり、これらのモードは操作部２６での操作によって適宜選択できるようになっている。
【００１２】
通常の撮影モード時にシャッターボタンがＯＮされると、被写体を示す画像光は、フォーカスレンズを含むレンズ光学系１０及び絞り１２を介して撮像素子（ＣＣＤ）１４の受光面に結像される。ＣＣＤ１４に蓄積された信号電荷は、ＣＣＤドライバ１６から加えられる転送パルスによって信号電荷に応じた電圧信号として順次読み出される。尚、ＣＣＤ１４は、シャッターゲートパルスのタイミングによって各フォトセンサの電荷蓄積時間（シャッタースピード）を制御する、いわゆる電子シャッター機能を有している。
【００１３】
このＣＣＤ１４から順次読み出された電圧信号は、アナログ処理部１８に加えられる。アナログ処理部１８は、サンプリングホールド回路、色分離回路、ゲイン調整回路等の信号処理回路を含み、相関二重サンプリング（ＣＤＳ）処理並びにＲ，Ｇ，Ｂの各色信号に色分離処理され、各色信号の信号レベルの調整（プリホワイトバランス処理）が行われる。アナログ処理部１８から出力された信号は、Ａ／Ｄ変換器２０によりデジタル信号（以下、「ＣＣＤＲＡＷデータ」という）に変換された後、ＳＤＲＡＭなどの一時記憶装置３２に記憶される。
【００１４】
一時記憶装置３２は、例えば、最大５コマの高速連写ができるように、５枚分のＣＣＤＲＡＷデータを一時記憶可能な記憶容量を有している。又、一時記憶装置３２は、動画撮像時に所定のフレーム数のＣＣＤＲＡＷデータを一時記憶可能な記憶容量を有している。尚、一時記憶装置３２の記憶容量はこれらに限定されない。また、タイミングジェネレータ（ＴＧ）２２は、ＣＰＵ２４の指令に従ってＣＣＤドライバ１６、アナログ処理部１８及びＡ／Ｄ変換器２０に対してタイミング信号を与えており、このタイミング信号によって各回路の同期がとられている。
【００１５】
ＲＯＭ３４には、予め、単写や連写や動画撮影、画像処理等のプログラムや調整値などが記憶されており、これらのプログラムや調整値は適宜読み出される。
【００１６】
信号処理部３６は、図示を省略するも、Ｒ、Ｇ、Ｂ信号のゲインを調整してホワイトバランス（ＷＢ）補正を行うＷＢゲイン部と、ＷＢ補正された各Ｒ、Ｇ、Ｂ信号に対して所定のガンマ特性が記憶されたＲＯＭテーブルにしたがってガンマ補正するガンマ補正部と、ＣＣＤ１４のカラーフィルタ配列に対応した色補間処理を行う色補間処理部と、輝度データＹ及び色差データＣｒ　、Ｃｂ　の生成処理（ＹＣ変換）を行うＹＣ処理部と、輝度データＹにアパーチャ信号を付加して輪郭強調を行う輪郭強調部と、平滑化処理、メディアンフィルタ処理などのノイズ低減処理を行うノイズ低減処理部と、色差データＣｒ　、Ｃｂ　のゲインを増減する彩度強調部とを有しており、一時記憶装置３２に記憶されたＣＣＤＲＡＷデータに対して各処理部で順次信号処理を行う。
【００１７】
信号処理部３６で処理された画像データは、ビデオエンコーダ２８においてエンコーディングされ、カメラ背面に設けられている液晶モニタ（ＬＣＤ）３０に出力され、これにより被写体像がＬＣＤ３０の表示画面上に表示される。
【００１８】
音声がマイク５０に収音されて、音声信号に変換される。マイク５０よりの音声信号はフィルタ５２に供給されて、増幅されると共に、必要帯域以外の周波数成分がカットオフされる。フィルタ５２よりの音声信号は、Ａ／Ｄ変換器５４に供給されて、必要帯域の２倍以上のサンプリング周波数のクロックを用いてデジタル音声信号に変換される。Ａ／Ｄ変換器５４よりのデジタル音声信号（音声データ）は、ＤＲＡＭ５６に書き込まれる。
【００１９】
また、一時記憶装置３２に記憶された動画のＣＣＤＲＡＷデータは、信号処理部３６で処理された画像データ（ＹＣデータ）に書き換えられ、この一時記憶装置３２に記憶されたＹＣデータは、ＤＲＡＭ５６から読み出力された音声データ（画像データと関連する音声データ）と合成され、その合成データは、圧縮伸長部３８に出力され、Ｍｏｔｉｏｎ　ＪＰＥＧ　などの所定の圧縮処理が実行され、再び一時記憶装置３２に記憶される。メディアコントローラ４０は、一時記憶装置３２に一時記憶された圧縮データをカードインターフェース４２を介してメモリカード４４に記録する。
【００２０】
次に、図３を参照して、Ｍｏｔｉｏｎ　ＪＰＥＧ　のファイル構造を説明する。ＲＩＦＦ　ＡＶＩには、ファイル全長のサイズ（何バイトか）、フレーム数、フレームレートなどが記録される。ＬＩＳＴ　ｍｏｖｉ　の各Ｒｅｃｏｒｄ　ｃｈｕｎｋ　０、１　、２　…には、音声又は画像（ｊｐｅｇ）のデータが記録される。ここで、フレームレートが３０コマ／秒とすると、音声データは１秒分なので、音声データの次に３０コマ分の画像データが連続して記録され、１秒分の動画のデータとなる。このようにして音声及び画像のデータが撮影された秒数だけ繰り返し記録される。また、ＬＩＳＴ　ｍｏｖｉ　には、全Ｒｅｃｏｒｄ　　ｃｈｕｎｋ　に記録されたデータのサイズが記録される。
【００２１】
ＩＤＸ１のＡＶＩ　Ｅｎｔｒｙ　には、上述の各Ｒｅｃｏｒｄ　ｃｈｕｎｋにおける画像データ／音声データの区別をするデータ種別、データまでのオフセット量、データの長さなどが記録される。また、ＩＤＸ１には、全ＡＶＩ　Ｅｎｔｒｙ　に記録されたデータのサイズが記録される。
【００２２】
図２に戻って説明するに、メモリカード４４に記憶されている圧縮データが読み出され、カードインターフェース４２及びメイディアコントローラ４０を通じて、一時記憶装置３２に記憶される。その圧縮データが一時記憶装置３２から読み出されて、圧縮伸長部３８に供給されて伸長処理された後、再び、一時記憶装置３２に記憶される。
【００２３】
以下に、図２のブロック図と共に、図１のフローチャートをも参照して説明する。ＣＰＵ２４の制御に基づいて、一時記憶装置３２に記憶されている伸長処理されたデータから音声データが抽出される（ステップＳ１０）。その音声データ（デジタル音声信号）は、ＤＲＡＭ５６に書き込まれた後、そのデジタル音声信号が読み出されて、音声認識部６０に供給されて、ＣＰＵ２４の制御に基づいて、音声パターンメモリ５８に記憶されている音声パターンと照合しながら音声認識が行われて（ステップＳ１２）、テキストデータに変換された後、ＤＲＡＭ５６に記憶される。
【００２４】
ＤＲＡＭ５６に記憶されているテキストデータは、ＣＰＵ２４の制御に基づいて、センテンス分割処理によって、センテンス毎に分割処理される（ステップＳ１４）。この分割された各センテンスに、発話者を識別する情報、センテンスの開始フレーム及びセンテンスの終了フレームが付加されて、ＤＲＡＭ５６に書き込まれる。
【００２５】
ＤＲＡＭ５６から読み出されたテキストデータが、文字画像生成手段としてのコードキャラクタ変換部６６に供給されて、ＣＰＵ２４の制御に基づいて、指定されたフォントを有し、各センテンス毎に、指定された表示属性、即ち、発話者毎に異なる表示色を有する文字画像データ、即ち、文字キャラクタデータに変換された（ステップＳ１６）後、ＤＲＡＭ５６に書き込まれる。
【００２６】
この文字画像データ、即ち、文字キャラクタデータは、信号処理部３６に供給されて、ＣＰＵ２４の制御に基づいて、動画の画像データ（フレームデータ）と合成処理され（ステップＳ１８）、その合成データがビデオエンコーダ２８を通じて、液晶モニタ（ＬＣＤ）３０に供給され、これによりＬＣＤ３０の表示画面上に、動画に文字画像（キャラクタ）がスーパーインポーズされた画像が表示される。この場合、各センテンス単位の文字画像が、その文字画像に関連する動作の再生期間のみ、その動画にスーパーインポーズされるように、信号処理部３６において、動画の画像データと、文字画像データとが合成される。
【００２７】
ＬＣＤ３０の表示画面上に表示された文字画像（キャラクタ）が正しければ、ＤＲＡＭ５６に記憶されている認識結果は、操作部２６の操作に応じて、仮名漢字変換部６２によって、辞書６４と照合しながら、仮名漢字混じりの文字列のコードに変化させる。この仮名漢字変換の結果は、再び文字画像（キャラクタ）に変換され、テキストデータとしてＤＲＡＭ５６に保存されると共に、ＬＣＤ３０の画面上に、動画に文字画像（キャラクタ）がスーパーインポーズされた画像が表示される。
【００２８】
操作者は、ＬＣＤ３０の画面上で、その仮名漢字変換が正しく行われたか否かを確認し、仮名漢字変換が正しく行われている場合には、操作者が操作部２６を操作して、その仮名漢字変換を確定する。一方、仮名漢字変換に誤りがあった場合には、操作部２６の操作によって、仮名漢字変換をやり直し、その仮名漢字変換が正しく行われている場合には、操作者が操作部２６を操作して、その仮名漢字変換を確定する。確定した文字は動画データに埋め込まれる。
【００２９】
次に、図１を再度参照すると共に、コンピュータシステムを示す図４を参照して、動画・テキスト編集プログラムを説明する。先ず、図４のコンピュータシステムについて説明する。７０はＣＰＵ（中央処理装置）、７２はＲＡＭ（ランダム・アクセス・メモリ）で、このＲＡＭ７２には、プログラム、データ等が記憶される。７６は、ＣＰＵ７０に対し指示を与える入力装置である。
【００３０】
７８はＨＤＤ（ハードディスク装置）で、プログラムやデータを一時記憶する。８４はメモリカードで、圧縮された画像ファイル等が記憶されており、カードＩ／Ｆ（インターフェース）８２及びメディアコントローラ８０を通じて、ＣＰＵ７０、ディスレプレイ７４、ＨＤＤ７８に接続されている。
【００３１】
次に、図１及び図４を関連させて説明する。ＣＰＵ７０の制御の下に、ハードディスクに保存されている動画・テキスト編集プログラムが、ハードディスク装置７８によって読み出されて、ＲＡＭ（ランダム・アクセス・メモリ）７２に書き込まれる。ＣＰＵ７０は、このＲＡＭ７２に記憶されている動画・テキスト編集プログラムに基づいて各部を制御すると共に、信号処理を行う。
【００３２】
メモリカード８４には、圧縮された動画データ及びその動画データに関連した、圧縮された音声データからなる動画ファイルが記憶されている。ＣＰＵ７０の制御の下に、メモリカード８４に記憶されている動画ファイルを、カードインターフェース８２及びメディアコントローラ８０を通じて読み出した後、一旦ＲＡＭ７２に書き込まれる。このＲＡＭ７２に記憶されている画像ファイルは、ＣＰＵ７０によって伸長処理された後、ハードディスク装置７８に供給されてハードディスクに一時記憶される。
【００３３】
ＣＰＵ７０の制御の下に、ハードディスク装置７８のハードディスクに一時記憶されている伸長処理された画像ファイルから音声データを抽出し（ステップＳ１０）する。ＣＰＵ７０によって、その音声データを、ＲＡＭ７２に記憶されている音声パターンと照合しながら、音声認識処理を行ってテキストデータに変換して（ステップＳ１２）、ハードディスク装置７８のハードディスクに記憶させる。
【００３４】
ハードディスクに記憶されているテキストデータは、ＣＰＵ７０によって、センテンス分割処理を行って、センテンス毎に分割処理し、その分割されたセンテンス毎に、発話者を識別する情報、センテンスの開始フレーム及び終了フレームを付加して（ステップＳ１４）、ハードディスクに記憶させる。
【００３５】
各センテンスのデータは、ＣＰＵ７０によって、キャラクタ変換処理が行われて、指定されたフォントを有し、各センテンス毎に、指定された表示属性、即ち、発話者毎に異なる表示色を有する文字画像データ、即ち、文字キャラクタデータに変換されて（ステップＳ１６）、ハードディスクに記憶される。
【００３６】
文字キャラクタデータ（文字画像データ）は、ＣＰＵ７０によって、動画のフレームデータと合成され（ステップＳ１８）、その合成データはハードディスクに記憶される。この合成データは、ディスプレイ７４に供給されて、動画及び文字画像（文字キャラクタ）の合成されたものが表示される。この場合、各センテンス単位の文字画像が、その文字画像に関連する動作の再生期間のみ、その動画にスーパーインポーズされるように、動画の画像データと、文字画像データとが合成される。
【００３７】
尚、テキスト合成の際に、音量に応じて、各センテンスのフォントサイズを変更するようにしても良い。
【００３８】
【発明の効果】
第１の発明によれば、動画データ及びその動画データに関連する音声データが記憶された記憶手段と、その記憶手段から読み出された音声データを音声認識して、テキストデータを得る音声認識手段と、その音声認識手段から得られたテキストデータを、センテンス単位に分割するセンテンス分割手段と、センテンス分割手段によって分割されたセンテンス毎のテキストデータに基づいてそのセンテンスを示す文字画像データを生成する文字画像データ生成手段と、記憶手段から読み出された動画データに基づいて再生される動画に、文字画像生成手段によって生成された文字画像データの文字画像がスーパーインポーズされるように、動画データ及び文字画像データを合成する合成手段とを有し、合成手段は、各センテンス単位の文字画像がその文字画像に関連する動画の再生期間にスーパーインポーズされるように、動画データ及び文字画像データを合成するようにしたので、動画にテキストを容易に合成することができると共に、音声データに基づくテキストデータのセンテンス単位の文字画像を、動画に容易にスーパーインポーズすることのできる動画・テキスト編集装置を得ることができる。
【００３９】
第２の発明によれば、動画データ及びその動画データに関連する音声データが記憶された記憶手段から読み出された音声データを音声認識して、テキストデータを得る音声認識工程と、その音声認識工程によって得られたテキストデータを、センテンス単位に分割するセンテンス分割工程と、センテンス分割工程によって分割されたセンテンス毎のテキストデータに基づいてそのセンテンスを示す文字画像データを生成する文字画像データ生成工程と、記憶手段から読み出された動画データに基づいて再生される動画に、文字画像生成工程によって生成された文字画像データの文字画像がスーパーインポーズされるように、動画データ及び文字画像データを合成する合成工程とを有し、合成工程では、各センテンス単位の文字画像がその文字画像に関連する動画の再生期間にスーパーインポーズされるように、動画データ及び文字画像データを合成するようにしたので、動画にテキストを容易に合成することができると共に、音声データに基づくテキストデータのセンテンス単位の文字画像を、動画に容易にスーパーインポーズすることのできる動画・テキスト編集方法を得ることができる。
【００４０】
第３の発明によれば、コンピュータによって動画データ及び文字画像データを合成するようにした動画・テキスト編集プログラムであって、コンピュータに、動画データ及びその動画データに関連する音声データが記憶された記憶手段から読み出された音声データを音声認識して、テキストデータを得る音声認識機能と、その音声認識機能によって得られたテキストデータを、センテンス単位に分割するセンテンス分割機能と、センテンス分割機能によって分割されたセンテンス毎のテキストデータに基づいてそのセンテンスを示す文字画像データを生成する文字画像データ生成機能と、記憶手段から読み出された動画データに基づいて再生される動画に、文字画像生成機能によって生成された文字画像データの文字画像がスーパーインポーズされるように、動画データ及び文字画像データを合成する合成機能とを実現させるようにし、合成機能では、各センテンス単位の文字画像がその文字画像に関連する動画の再生期間にスーパーインポーズされるように、動画データ及び文字画像データを合成するようにしたので、動画にテキストを容易に合成することができると共に、音声データに基づくテキストデータのセンテンス単位の文字画像を、動画に容易にスーパーインポーズすることのできる動画・テキスト編集プログラムを得ることができる。
【図面の簡単な説明】
【図１】本発明の実施の形態の動画・テキスト編集装置の動作の一例を示すフローチャートである。
【図２】本発明の実施の形態の動画・テキスト編集装置を適用した撮像装置の一例を示すブロック図である。
【図３】Ｍｏｔｉｏｎ　ＪＰＥＧ　のファイル構造を示す図である。
【図４】本発明の実施の形態の動画・テキスト編集プログラムの一例に供するコンピュータシステムを示すブロック図である。
【符号の説明】
１０…レンズ光学系、１２…絞り、１４…撮像素子（ＣＣＤ）、１６…ＣＣＤドライバ、１８…アナログ処理部、２０…Ａ／Ｄ変換器、２２…タイミングジェネレータ、２４…ＣＰＵ、２６…操作部、２８…ビデオエンコーダ、３０…ＬＣＤ、３２…一時記憶装置、３４…ＲＯＭ、３６…信号処理部、３８…圧縮伸長部、４０…メディアコントローラ、４２…カードインターフェース、４４…メモリカード、５０…マイク、５２…フィルタ、５４…Ａ／Ｄ変換器、５６…ＤＲＡＭ、５８…音声パターンメモリ、６０…音声認識部、６２…仮名漢字変換部、６４…辞書、６６…コードキャラクタ変換部、７０…ＣＰＵ、７２…ＲＡＭ、７４…ディスプレイ、７６…入力装置、７８…ＨＤＤ（ハードディスク駆動装置）、８０…メディアコントローラ、８２…カードＩ／Ｆ（インターフェース）、８４…メモリカード
【図１】
2004120279.tif 000003
【図２】
2004120279.tif 000004
【図３】
2004120279.tif 000005
【図４】
2004120279.tif 000006